(57)【要約】      （修正有）【課題】装飾性を備え、かつ、開閉操作において位置合わせの面倒がない収納ケースを提供する。【解決手段】内ケース２と外ケース３は、それぞれ１２個の長方形状壁面によって構成された正十二角形断面の筒部２１，３１を備えている。内ケース２の筒体２１は外ケース３の筒体３１の中に収納されるサイズとなっており、正十二角形の１２個の角の内、１８０度ずれた二つの長方形壁面に、中心線上に位置すると共に、壁面同士において同一高さとなる様に形成されたダイヤモンド状の内ケース側嵌合部２２，２２，…を備えている。外ケース３の筒部３１を構成する長方形状壁面の内の全ての壁面の下端近くには、中心線上に位置すると共に、壁面同士において同一高さとなる様に形成され、内ケース側嵌合部２２と嵌合するダイヤモンド形状の外ケース側嵌合部３２を備えている。【選択図】図１
0003169541.tif 000002
【実用新案登録請求の範囲】
【請求項１】
一端を開口されると共に他端を閉じられた内ケースと、一端を開口されると共に他端を閉じられた外ケースとによって構成され、前記外ケースと前記内ケースとをそれぞれの開口端側から軸方向に嵌合させて閉じた状態とする収納ケースであって、以下の構成を備えたことを特徴とする収納ケース。
（１）前記内ケース及び外ケースは、複数個の長方形状壁面によって構成された正多角形断面の筒部を備えていること。
（２）前記内ケースの筒部を構成する長方形状壁面の内の複数の壁面に、中心線上に位置すると共に、壁面同士において同一高さとなる様に形成された所定形状の内ケース側嵌合部を備えていること。
（３）前記外ケースの筒部を構成する長方形状壁面の内の全ての壁面に、中心線上に位置すると共に、壁面同士において同一高さとなる様に形成され、前記内ケース側嵌合部と嵌合する形状の外ケース側嵌合部を備えていること。
（４）前記内ケース側嵌合部及び外ケース側嵌合部は、宝石などを模した壁面装飾として凹凸部として形成されていること。
【請求項２】
さらに、以下の構成をも備えたことを特徴とする請求項１記載の収納ケース。
（５）前記内ケース及び外ケースはブロー成形によって製造され、前記内ケース側嵌合部は、内ケースの筒部の壁面から外側へ突出する様に形成され、前記外ケース側嵌合部は、外ケースの筒部の壁面から内側へ凹入する様に形成されていること。
【請求項３】
さらに、以下の構成をも備えたことを特徴とする請求項１又は２記載の収納ケース。
（６）前記内ケース側嵌合部は、内ケースの筒部の軸方向に距離をあけて複数形成されていて、前記外ケース側嵌合部は、外ケースの筒部の下端付近に設けられていること。
【考案の詳細な説明】
【技術分野】
【０００１】
本考案は、内ケースと外ケースとからなり、外ケースと内ケースとを軸方向に嵌合させて閉じた状態とする収納ケースに関する。
【背景技術】
【０００２】
従来、この種の収納ケースとして、スライド式のもの（図５（Ａ）参照）とネジ式のもの（図５（Ｂ）参照）が知られている（例えば、特許文献１，２）。
【０００３】
本願出願人は、さらに開閉操作を改善するために、図５（Ｃ）に示す様に、正十二角形断面の筒体を有する内ケースと外ケースとから構成され、内ケースの筒体は外ケースの筒体の中に収納されるサイズで中心角１２０度ずれた３つの角に沿って軸方向に配置された半球状の突起列を備え、外ケースの筒体の下端部分にはスクリュー溝が形成されたアジャスタブルケースを提案した（特許文献３）。
【０００４】
特許文献３のアジャスタブルケースは、大切な物を収容する際に収容物の先端を傷めることなく慎重な蓋閉じ動作が可能でかつ、収容物を取り出す際には迅速な操作も可能であり、その他の使用方法も可能なことから、用途、収容物等に応じて取扱いが便利である。
【先行技術文献】
【特許文献】
【０００５】
【特許文献１】米国特許第４５０９６５６号特許明細書
【特許文献２】特開２００３−３１２６６７号公報
【特許文献３】特開２００８−２８５１７３号公報
【考案の概要】
【考案が解決しようとする課題】
【０００６】
本願出願人は、さらに、装飾性を備え、かつ、開閉操作のいずれにおいて位置合わせの面倒がない収納ケースを提供するために本考案を完成した。
【課題を解決するための手段】
【０００７】
上記目的を達成するためになされた本考案の収納ケースは、一端を開口されると共に他端を閉じられた内ケースと、一端を開口されると共に他端を閉じられた外ケースとによって構成され、前記外ケースと前記内ケースとをそれぞれの開口端側から軸方向に嵌合させて閉じた状態とする収納ケースであって、以下の構成を備えたことを特徴とする。
（１）前記内ケース及び外ケースは、複数個の長方形状壁面によって構成された正多角形断面の筒部を備えていること。
（２）前記内ケースの筒部を構成する長方形状壁面の内の複数の壁面に、中心線上に位置すると共に、壁面同士において同一高さとなる様に形成された所定形状の内ケース側嵌合部を備えていること。
（３）前記外ケースの筒部を構成する長方形状壁面の内の全ての壁面に、中心線上に位置すると共に、壁面同士において同一高さとなる様に形成され、前記内ケース側嵌合部と嵌合する形状の外ケース側嵌合部を備えていること。
（４）前記内ケース側嵌合部及び外ケース側嵌合部は、宝石などを模した壁面装飾として凹凸部として形成されていること。
【０００８】
本考案の収納ケースによれば、内外のケースを嵌め合うとき、正多角形断面の誘導によって軸方向に挿入操作するだけで、確実に嵌合部を嵌合させることができる。そして、外ケースを一周する様に形成された嵌合部が装飾として機能する。
【０００９】
本考案の収納ケースは、さらに、以下の構成をも備えるものとすることで、装飾性の高い形状の嵌合部を備えたものとして容易に製造することができる。
（５）前記内ケース及び外ケースはブロー成形によって製造され、前記内ケース側嵌合部は、内ケースの筒部の壁面から外側へ突出する様に形成され、前記外ケース側嵌合部は、外ケースの筒部の壁面から内側へ凹入する様に形成されていること。
【００１０】
本考案の収納ケースは、さらに、以下の構成をも備えることで、長さ可変のケースとして使用することができる。
（６）前記内ケース側嵌合部は、内ケースの筒部の軸方向に距離をあけて複数形成されていて、前記外ケース側嵌合部は、外ケースの筒部の下端付近に設けられていること。
【考案の効果】
【００１１】
本考案によれば、、装飾性を備え、かつ、開閉操作のいずれにおいて位置合わせの面倒がない収納ケースを提供することができる。
【図面の簡単な説明】
【００１２】
【図１】実施例１の収納ケースを示し、（Ａ）は斜視図、（Ｂ）は外ケースの斜視図、（Ｃ）は内ケースの斜視図である。
【図２】実施例１の収納ケースの嵌合部を拡大して示した中央縦断面図である。
【図３】実施例２の収納ケースを示し、（Ａ）は正面図、（Ｂ）は嵌合部を拡大して示した中央縦断面図である。
【図４】実施例３の収納ケースを示し、（Ａ）は正面図、（Ｂ）は嵌合部を拡大して示した中央縦断面図である。
【図５】従来技術の説明図である。
【考案を実施するための形態】
【００１３】
以下、本考案を実施するための形態を実施例で説明する。
【実施例１】
【００１４】
実施例１を図１，２に示す。実施例１は、長さ可変のアジャスタブルケース１であって、透明な合成樹脂を用いてダイレクトブロー成形法によって肉厚約０．８ｍｍに成形した内ケース２と外ケース３とから構成されている。内ケース２は、上端開口・下端閉鎖とされ、外ケース３は下端開口・上端閉鎖とされ、それぞれ１２個の長方形状壁面によって構成された正十二角形断面の筒部２１，３１を備えている。
【００１５】
内ケース２の筒体２１は外ケース３の筒体３１の中に収納されるサイズとなっており、正十二角形の１２個の角の内、１８０度ずれた二つの長方形壁面に、中心線上に位置すると共に、壁面同士において同一高さとなる様に形成されたダイヤモンド状の内ケース側嵌合部２２，２２，…を備えている。
【００１６】
一方、外ケース３の筒部３１を構成する長方形状壁面の内の全ての壁面の下端近くには、中心線上に位置すると共に、壁面同士において同一高さとなる様に形成され、内ケース側嵌合部２２と嵌合するダイヤモンド形状の外ケース側嵌合部３２を備えている。
【００１７】
内ケース側嵌合部２２は、内ケース２の筒部２１の壁面から外側へ突出する様に形成され、外ケース側嵌合部３２は、外ケース３の筒部３１の壁面から内側へ凹入する様に形成されている。
【００１８】
収納ケース１によれば、内外のケース２，３を嵌め合うとき、正多角形断面の誘導によって軸方向に挿入操作するだけで、確実に嵌合部同士を嵌合させることができる。そして、外ケース３を一周する様に形成された嵌合部３２が装飾として機能する。また、外ケースを外した状態の内ケース２においても、嵌合部２２が装飾として機能する。なお、本実施例は透明な合成樹脂製であるから、外ケース３を閉じた状態にあっても、内ケース２の嵌合部２２が透けて見えて装飾効果を発揮する。
【実施例２】
【００１９】
筒部の長さを短くした実施例２を図３に示す。実施例２も長さ可変のアジャスタブルケース４１である。
【実施例３】
【００２０】
さらに筒部の長さを短くした実施例３を図４に示す。実施例３は長さ可変ではない収納ケース４２である。
【００２１】
各実施例共に、開閉操作が容易で、かつ装飾性の高い収納ケースとなっている。
【００２２】
以上、本考案の実施例について説明したが、本考案は上述した実施例に限られることなく、その要旨を逸脱しない範囲内において、さらに種々の態様にて実施することができる。
【００２３】
例えば、嵌合部はダイヤモンド形状に限らず、星形やハート形、花形、動物形など、装飾機能を備えた種々の形状を適用することができる。また、透明合成樹脂製に限らず、半透明や着色のあるものとしても構わない。
【産業上の利用可能性】
【００２４】
種々の物品を収納するケースとして利用することができる。
【符号の説明】
【００２５】
１・・・アジャスタブルケース
２・・・内ケース
２１・・・筒体
２２・・・内ケース側嵌合部
３・・・外ケース
３１・・・筒体
３２・・・外ケース側嵌合部
４１・・・アジャスタブルケース
４２・・・収納ケース
【図１】
0003169541.tif 000003
【図２】
0003169541.tif 000004
【図３】
0003169541.tif 000005
【図４】
0003169541.tif 000006
【図５】
0003169541.tif 000007